(57)【要約】【課題】高さの調整を行わずとも、天井毎の棹縁の高さの相違に対応して、安定した天井用照明器具の取付を可能とする棹縁アダプタの提供を図る。【解決手段】    棹縁アダプタ１３は、天井用照明器具と天井２６との間に配位される。棹縁アダプタ１３の支持板３１に、高さの異なる複数の対応部４１、４２、４３を設ける。これらの対応部４１、４２、４３を、棹縁対応部４４上に配位される棹縁２７を挟んで左右に少なくもと１個ずつ配位する。棹縁２７の上下高さに応じて、これらの対応部４１、４２、４３のいずれか少なくとも一つを選択して、弾性部材１５を配位する。【選択図】図１
2011040276.tif 000002
【特許請求の範囲】
【請求項１】
天井用照明器具の上面に対して当接する対器具部と、この対器具部を支持する支持体と、引っ掛け型配線器具をこの支持体の上下方向に挿通させる挿通部と、この支持体に支持されると共に天井に対して当接する対天井部とを備え、棹縁を備えた天井に対して天井用照明器具を安定して取り付けるための天井用照明器具の棹縁アダプタにおいて、
上記対天井部は、上記棹縁の下方に配位される棹縁対応部と、この棹縁対応部よりも高い位置に配位される天井面対応部とを備え、
上記天井面対応部は、高さの異なる複数の対応部を備え、
これらの対応部は、上記棹縁対応部上に配位される上記棹縁を挟んで左右に配位され、
これらの対応部の少なくとも一つと上記天井面との間に弾性部材が配位され、この弾性部材を圧縮した状態で、上記天井用照明器具と上記天井との間に挟まれて配置されることを特徴とする天井用照明器具の棹縁アダプタ。
【請求項２】
上記天井面対応部は、第１対応部と第２対応部と第３対応部との少なくとも３種の高さの異なる対応部を備え、
上記少なくとも３種の対応部は、上記棹縁対応部上に配位される上記棹縁を挟んで左右に少なくとも２個ずつが配位され、且つ、上記挿通部を挟んで上記棹縁の長手方向に少なくとも２個ずつが配位されていることを特徴とする請求項１記載の天井用照明器具の棹縁アダプタ。
【請求項３】
上記弾性部材は、下部スポンジと、この下部スポンジの上方に配位される上部スポンジとの少なくとも２種のスポンジを一体化したものであり、下部スポンジは上部スポンジよりも圧縮性が小さく、
上記対器具部は、上記支持体の外周に環状に設けられたスポンジであり、この対器具部が照明器具本体に環状に接触して照明器具本体内への虫の侵入を防止するものであることを特徴とする請求項２記載の天井用照明器具の棹縁アダプタ。
【発明の詳細な説明】
【技術分野】
【０００１】
本願発明は、天井用照明器具の棹縁アダプタに関するものである。
【背景技術】
【０００２】
従来より、棹縁に取り付けられた引っ掛け型配線器具に対して、天井用照明器具を安定して取り付けるために、天井用照明器具の棹縁アダプタが用いられている（特許文献１）。この特許文献１に係る棹縁アダプタは、上記取付基盤の周縁近傍に、上方に突出する少なくとも一対の高さ調節可能なアジャスタが設けられたものであって、アジャスタの高さを調整することで、棹縁の上下長さの変化に対応して、天井用照明器具を安定的に取り付けるようにしたものである。また、特許文献２に示すような、高さ調整可能なスペーサも提案されている。
【０００３】
これらの提案にあっては、アジャスタやスペーサの高さをネジ等で調整することにより、天井毎の棹縁の高さの相違に対応して、安定した天井用照明器具の取付を実現するものであるが、作業の取付現場でアジャスタやスペーサの高さを調整することは、熟練を必要とし、各家庭において素人が簡単に正確な作業を行うことは困難であった。
【０００４】
【特許文献１】特開２００４−３３５２１９号公報
【特許文献２】特許４１１８５２２号公報
【発明の概要】
【発明が解決しようとする課題】
【０００５】
本願発明は、機器の高さ調整を行わずとも、弾性部材を天井面対応部の弾性作用と天井毎の棹縁の高さの相違に対応して、安定した天井用照明器具の取付を実現することができる天井用照明器具の棹縁アダプタの提供を目的とする。
【課題を解決するための手段】
【０００６】
本願の請求項１に係る発明は、天井用照明器具の上面に対して当接する対器具部と、この対器具部を支持する支持体と、引っ掛け型配線器具をこの支持体の上下方向に挿通させる挿通部と、この支持体に支持されると共に天井に対して当接する対天井部とを備え、棹縁を備えた天井に対して天井用照明器具を安定して取り付けるための天井用照明器具の棹縁アダプタにおいて、上記対天井部は、上記棹縁の下方に配位される棹縁対応部と、この棹縁対応部よりも高い位置に配位される天井面対応部とを備え、上記天井面対応部は、高さの異なる複数の対応部を備え、これらの対応部は、上記棹縁対応部上に配位される上記棹縁を挟んで左右に配位され、これらの対応部の少なくとも一つと上記天井面との間に弾性部材が配位され、この弾性部材を圧縮した状態で、上記天井用照明器具と上記天井との間に挟まれて配置されることを特徴とする天井用照明器具の棹縁アダプタを提供する。
本願の請求項２に係る発明は、上記天井面対応部は、第１対応部と第２対応部と第３対応部との少なくとも３種の高さの異なる対応部を備え、
上記少なくとも３種の対応部は、上記棹縁対応部上に配位される上記棹縁を挟んで左右に少なくとも２個ずつが配位され、且つ、上記挿通部を挟んで上記棹縁の長手方向に少なくとも２個ずつが配位されていることを特徴とする請求項１記載の天井用照明器具の棹縁アダプタを提供する。
本願の請求項３に係る発明は、上記弾性部材は、下部スポンジと、この下部スポンジの上方に配位される上部スポンジとの少なくとも２種のスポンジを一体化したものであり、下部スポンジは上部スポンジよりも圧縮性が小さく、上記対器具部は、上記支持体の外周に環状に設けられたスポンジであり、この対器具部が照明器具本体に環状に接触して照明器具本体内への虫の侵入を防止するものであることを特徴とする請求項２記載の天井用照明器具の棹縁アダプタを提供する。
【発明の効果】
【０００７】
本願発明は、天井面対応部が高さの異なる複数の対応部を備え、これらの対応部が上記棹縁対応部上に配位される上記棹縁を挟んで左右に配位されているため、棹縁の上下高さに応じて、これらの対応部のいずれか少なくとも一つを選択して、上記天井面との間に弾性部材を配位することによって、棹縁の上下寸法の個別差に応じて対応部を選択すると共に、弾性部材の圧縮によって寸法差の吸収を行うことで、高さの調整を行わずとも、天井毎の棹縁の高さの相違に対応して、安定した天井用照明器具の取付を実現することができたものである。
【図面の簡単な説明】
【０００８】
【図１】本願発明の実施の形態に係る棹縁アダプタによって天井用照明器具を取り付ける状態を示す斜視図である。
【図２】同棹縁アダプタの上方からの斜視図である。
【図３】同棹縁アダプタによって天井用照明器具を取り付ける状態を示す側面図である。
【図４】同棹縁アダプタに弾性部材を取り付ける状態を示す説明図であり、（Ａ）は第１対応部に弾性部材を取り付けた状態、（Ｂ）は第２対応部に弾性部材を取り付けた状態、（Ｃ）は第３対応部に弾性部材を取り付けた状態を示すものである。
【図５】（Ａ）は第１対応部に弾性部材を取り付けた状態の側面図であり、（Ｂ）は同平面図である。
【図６】（Ａ）は第２対応部に弾性部材を取り付けた状態の側面図であり、（Ｂ）は同平面図である。
【図７】（Ａ）は第３対応部に弾性部材を取り付けた状態の側面図であり、（Ｂ）は同平面図である。
【図８】同棹縁アダプタを用いて角形照明器具を取り付けた状態を示すもので、（Ａ）は同側面図であり、（Ｂ）は同平面図である。
【発明を実施するための形態】
【０００９】
以下、図面に基づき本願発明の実施の形態を説明する。
この実施の形態に係る天井用照明器具１１の棹縁アダプタ１３は、棹縁２７を備えた天井と、照明器具本体２１との間に配置することによって、安定した天井用照明器具１１の取付を実現するものである。天井用照明器具１１には、その棹縁２７に引掛け型配線器具１２のシーリングボディ２４が設けられている場合があるが、このシーリングボディ２４に対して、シーリングアダプタ２５を用いて照明器具本体２１を取り付けた場合、照明器具本体２１の上面は、細い棹縁２７の下面に当接しているに過ぎず、棹縁２７を中心としてグラグラと揺れてしまうおそれがあり、天井用照明器具１１や引掛け型配線器具１２を破損してしまったり、天井用照明器具１１が落下してしまう事故が発生する危険性を否定できない。そこで本願発明に係る棹縁アダプタ１３を用いることによって安定した天井用照明器具１１を実現するものである。なお、以下の説明においては、棹縁２７の長手方向を前後方向とし、同方向に直交する方向を左右方向として説明するが、これらの関係は相対的な位置関係を示すに止まる。
【００１０】
この実施の形態に係る棹縁アダプタ１３は、棹縁２７を備えた天井と、照明器具本体２１との間に配置することにより、天井用照明器具１１がグラグラせずに安定して取り付けられるようにするものであり、金属や硬質合成樹脂などの剛性のある素材で作成された支持体３１と、その上面に取り付けられた天井面対応部１４と、天井面対応部１４に取り付けられる弾性部材１５とを備える。
【００１１】
この支持体３１は、中央に引掛け型配線器具１２を通すための挿通部３３を備えた円盤状の部材であり、その下部に対器具部３２が設けられている。この対器具部３２は、照明器具本体２１の上面に当接して、安定した取付を図るものであり、支持体３１の下面全面が照明器具本体２１に当接するようにしてもよいが、この例では、支持体３１の外周にスポンジ等の弾性部材製の対器具部３２を環状に設けたものである。対器具部３２を環状に設けることによって、照明器具本体２１に対して全体に略均等に接触すると共に、虫の侵入を防止して防虫性能を発揮させることができる。
【００１２】
この挿通部３３は、棹縁２７に固定される引掛け型配線器具１２のシーリングボディ２４よりも大きな開口であり、シーリングボディ２４を通すことができる。他方、このシーリングボディ２４の下部に着脱可能に取り付けられるシーリングアダプタ２５よりも小さな開口であり、シーリングアダプタ２５の上面に当接する対シーリングアダプタ部３４を備える。具体的には、支持体３１は、その中央に下方に伸びる筒状部分を備え、この筒状部分の中央開口が挿通部３３であり、この筒状部分の下端が対シーリングアダプタ部３４となる。取付作業時には、支持体３１の挿通部３３にシーリングボディ２４を通し、挿通部３３から僅かに突出するシーリングボディ２４にシーリングアダプタ２５を装着することによって、シーリングアダプタ２５の上面に対シーリングアダプタ部３４が載った状態で、棹縁アダプタ１３が引掛け型配線器具１２に支持される。
【００１３】
次に、この棹縁アダプタ１３の支持体３１の上面には、天井面対応部１４が取り付けられている。この取付は、溶接などの着脱不能の固定手段や、ねじ等の着脱可能な固定手段によって行うことができる。この天井面対応部１４は、この例では、第１対応部４１、第２対応部４２、第３対応部４３の３つの高さの違う段部を、高さの順に階段状に設けた部材であり、金属や硬質合成樹脂等の剛性のある素材によって制作される。この例では、天井面対応部１４は、平面視において、右前、左前、右後、左後の４箇所に１個ずつが取り付けられているが、右中、左中を加えた合計６個としたり、逆に左右に一個ずつだけにするなど、その数や設ける位置は適宜変更できる。また、右左２個の天井面対応部１４を連結して一体化したり、全ての天井面対応部１４を連結一体化することもできる。
【００１４】
棹縁２７は、左右の天井面対応部１４の間に配位される。より具体的には、右前の天井面対応部１４と左前の天井面対応部１４との間の谷間、右後の天井面対応部１４と左後の天井面対応部１４との谷間の照明器具本体２１の上面が、棹縁対応部４４となる。従って、左右の天井面対応部１４間の長さは、棹縁２７の左右幅よりも長く設定される。よって、この例では、棹縁対応部４４の上方に棹縁２７が配位された状態で、棹縁対応部４４を挟んで左右対称に２個ずつの第１対応部４１、第２対応部４２、第３対応部４３が配位されていることになる。そして、前後方向には、挿通部３３を挟んで前後対称に２個ずつの第１対応部４１、第２対応部４２、第３対応部４３が配位されていることになるため、前後左右方向に安定した支持が実現する。
【００１５】
各天井面対応部１４の上には、弾性部材１５が配位される。棹縁２７の上下長さの大小によって、この弾性部材１５を、第１対応部４１、第２対応部４２、第３対応部４３の何れかの上に固定する。この固定には、接着剤や粘着剤による他、ねじやピンやクリップなどの種々の固定手段を利用できる。また、この固定は作業中の脱落防止に必要なだけであるため、凹凸の嵌合や微粘着剤などの外しやすい固定や係止であってもよく、全く固定せずに単に配置するだけでも足りる。具体的には、棹縁２７の上下長さが24〜27mmの場合には第１対応部４１上に弾性部材１５を配位する（図４（Ａ）、図５参照）。同上下長さが27〜31mmの場合には第２対応部４２上に弾性部材１５を配位する（図４（Ｂ）、図６参照）。同上下長さが31〜34mmの場合には第３対応部４３上に弾性部材１５を配置する（図４（Ｃ）、図７参照）。
【００１６】
そして、棹縁アダプタ１３は、この弾性部材１５を圧縮した状態で、照明器具本体２１と天井２６との間に挟まれて配置されることとなり、天井用照明器具１１は弾性部材１５から適度な反発力を受けながら、安定して天井２６に取り付けられることになる。
【００１７】
ここで、弾性部材１５のより望ましい形態としては、ポリウレタン等のプラスチックやゴムを発泡成形して形成されたスポンジを用いる。さらに望ましくは、弾性部材１５を下部スポンジ５１と上部スポンジ５２との複数層構成とし、下部スポンジ５１を上部スポンジ５２よりも硬質のスポンジとする。硬質のスポンジのみとすると、圧縮した際、３〜４mm程度の上下の寸法差を十分に吸収できない場合がある。他方、柔らかいスポンジのみとすると、腰がなく天井用照明器具１１を確実に支持できないおそれがある。そこで、両者を併用することによって、天井用照明器具１１を装着する際の３〜４mm程度の上下の寸法差を吸収しつつ確実な支持を実現するものである。
【００１８】
なお、図５、図６に示される傷付け防止具５３は、装着完了時に、第３対応部４３が天井に直接当接して、天井を傷つけてしまうことを防ぐもので、軟質のスポンジで構成されるが、合成樹脂や布などのテープやシートなど、接触による傷を防止できるものであれば適宜選択して使用することができる。
【００１９】
次に、この実施の形態に係る棹縁アダプタ１３を用いて、棹縁２７を備えた天井に天井用照明器具１１を取り付ける手順を説明する。
（１）棹縁２７の上下高さを測定する。
（２）測定した結果によって、第１対応部４１、第２対応部４２、第３対応部４３のいずれの位置に弾性部材１５を配置するかを決めて固定する。なお、第１対応部４１、第２対応部４２、第３対応部４３のいずれの位置に弾性部材１５を固定すべきかを示したメモリを付した専用のゲージを設けておくことも望ましい。またこのゲージを取扱説明書や棹縁アダプタ１３の包装用箱に印刷しておくこともできる。
（３）棹縁アダプタ１３を棹縁２７に位置決めする。具体的には、棹縁対応部４４に棹縁２７を沿わしつつ、棹縁２７に取り付けられているシーリングボディ２４を挿通部３３に通す。
（４）棹縁アダプタ１３を持ち上げて弾性部材１５を圧縮させつつ、シーリングボディ２４にシーリングアダプタ２５を装着する。その際、挿通部３３の対シーリングアダプタ部３４は、シーリングアダプタ２５の上面に乗ることで、棹縁アダプタ１３は支持されるため、棹縁アダプタ１３から手を放しても落下することはない。
（５）天井用照明器具１１の中央孔２３にシーリングアダプタ２５を通して、天井用照明器具１１をシーリングアダプタ２５の係止爪２８に固定する。その際、対器具部３２が圧縮されると共に、上記（４）の状態よりも弾性部材１５がわずかに圧縮され、シーリングアダプタ２５の上面より対シーリングアダプタ部３４が僅かに浮き上がる程度が最も好ましいが、上記（４）の状態に比して弾性部材１５の圧縮が行われずシーリングアダプタ２５の上面に対シーリングアダプタ部３４が接触た状態を維持するものであっても、使用には差し支えない。
【００２０】
以上で、天井用照明器具１１の取り付けが完了するものであり、天井用照明器具１１は、対器具部３２と弾性部材１５を圧縮させた状態（いわば突っ張った状態）で、シーリングアダプタ２５に係止されているものであり、安定した天井への支持が実現する。しかも、上記のように、機器の微妙な調整を行わずとも、確実に支持させることができるものである。
この棹縁アダプタ１３は、丸形の天井用照明器具１１に用いることができるほか、図８に示すように、角形の天井用照明器具１１にも用いることができる。支持体３１は、金属板製として実施したが、必ずしも板状の部材で形成する必要はなく、天井用照明器具１１を通すことができること、天井面対応部及び対機器部を支持できることを条件に、金属製のパイプや棒材で構成するなどしてもよい。
【符号の説明】
【００２１】
１１  天井用照明器具
１２  引っ掛け型配線器具
１３  棹縁アダプタ
１４  天井面対応部
１５  弾性部材
２１  照明器具本体
２２  セード
２３  中央孔
２４  シーリングボディ
２５  シーリングアダプタ
２６  天井
２７  棹縁
２８  係止爪
３１  支持体
３２  対器具部
３３  挿通孔
３４  対シーリングアダプタ部
４１  第１対応部
４２  第２対応部
４３  第３対応部
４４  棹縁対応部
５１  下部スポンジ
５２  上部スポンジ
５３  傷付け防止具
【図１】
2011040276.tif 000003
【図２】
2011040276.tif 000004
【図３】
2011040276.tif 000005
【図４】
2011040276.tif 000006
【図５】
2011040276.tif 000007
【図６】
2011040276.tif 000008
【図７】
2011040276.tif 000009
【図８】
2011040276.tif 000010